(57)【特許請求の範囲】
【請求項１】
組付け部片と縦長の調整孔を設けた取付け部片とから成る上、下の調整材の前記組付け部片を外障子の召合せ框に縦設した取付け溝に上、下の開放端から嵌挿して組付ける一方、前記取付け部片を前記召合せ框に重ね合わせて前記調整孔を通した固定ねじで高さ方向に位置調整可能に止着すると共に、前記召合せ框と内障子のガラスパネルとの間の間隙を閉塞する主体板の基部に嵌着部を設けて成る閉塞材を、上、下調整材の前記組付け部片間において前記嵌着部を前記取付け溝に圧入して前記召合せ框に止着した、内外障子を戸車で受支させたスライディングサッシの外障子召合せ框と内障子ガラスパネル間の防虫装置。
【発明の詳細な説明】
【技術分野】
【０００１】
本発明は、例えば、枠見込み内収納式網戸を備えた、内外障子を戸車で受支させた引違いサッシに適用し、該サッシの半開放時に生じる外障子の召し合せ框と内障子のガラスパネル間の間隙を、サッシ見込み方向に閉塞して防虫効果を期待する防虫装置に関するものである。
【背景技術】
【０００２】
枠見込み内収納式網戸を備えた、内外障子を戸車で受支させた引違いサッシは公知であるが（例えば、特許文献１）、この引違いサッシは、障子の半開放状態時に、内、外障子の一方又は双方の戸先框と縦枠との間の開口部を網で閉塞して防虫効果を図れ、ガラスパネルと網とがサッシ見込み方向に重なり合うことがないのでガラスパネルと重なり合う網の存在によるうっとうしさがない利点がある反面、障子と網がサッシ見付け方向に同一線上にあるので、該線上より外れた位置に存する、障子召合せ框（外障子の）とガラスパネル（内障子）との間に生じる間隙が虫の侵入経路となり、該侵入経路（間隙）を閉塞するために、召合せ框に取付け溝を縦設し、該取付け溝に先端がガラスパネルに接触する閉塞材を基部において嵌着した構造のものが提案されている（例えば、特許文献２）。
【０００３】
【特許文献１】特開平８−１５１８７６号公報
【特許文献２】実開平７−３８５７６号公報
【発明の開示】
【発明が解決しようとする課題】
【０００４】
前記従来構造のものは、外障子の閉塞材と内障子側のガラスパネルとの接触によって防虫効果を期待するものであるから、両者が設計通りの位置関係にあれば何等不都合は生じないが、内障子のガラスパネルと外障子の上、下框との間には段差があり、従って、ガラスパネルとの位置関係に設計寸法を超えるずれが生じると、不都合が生じて防虫効果を期待できない。
【０００５】
そして、ガラスパネルと閉塞材の位置合わせをして工場出荷を行っても、サッシ枠の取付け状態が現場ごとに異なり又、障子そのものも設計寸法通りのものとはいかない場合もあるので、現場において、サッシ枠に対して障子を正位置に配するための各障子を受支する戸車の高さ調整によるサッシ建て付け調整が行われ、このサッシ建て付け調整によって内外障子の位置関係にずれが生じるため、現場において閉塞材に現場状況に見合うように二次加工を施した後に、外障子に組付ける、という煩雑な作業を必要としている。
【０００６】
本発明は斯様な従来例の欠点に着目し、現場で二次加工をする必要がなく、サッシ建て付け調整後の状態に容易に適合させて、防虫効果を期待できる装置を提供することを目的として創案したものである。
【課題を解決するための手段】
【０００７】
組付け部片と縦長の調整孔を設けた取付け部片とから成る上、下の調整材の前記組付け部片を外障子の召合せ框に縦設した取付け溝に上、下の開放端から嵌挿して組付ける一方、前記取付け部片を前記召合せ框に重ね合わせて前記調整孔を通した固定ねじで高さ方向に位置調整可能に止着すると共に、前記召合せ框と内障子のガラスパネルとの間の間隙を閉塞する主体板の基部に嵌着部を設けて成る閉塞材を、上、下調整材の前記組付け部片間において前記嵌着部を前記取付け溝に圧入して前記召合せ框に止着した構成とするのである。
【発明の効果】
【０００８】
本発明によれば、サッシ建て付け調整によって生じる内外障子間の位置ずれ（高さ方向）に対応させて上調整材は内障子のガラスパネルの高さ幅の上限位置に、下調整材は下限位置に配するように位置調整してこれらの間に閉塞材を配して外障子召合せ框と内障子ガラスパネル間の防虫効果を期待することができる。
【０００９】
すなわち、閉塞材等を定格化して、サッシ建て付け調整に追従のできる防虫装置を提供することができ、現場作業効率の向上、品質の安定、手配ミスの低減を図れるものである。
【実施例】
【００１０】
図面は本発明に係る、内外障子を戸車で受支させた引違いサッシの外障子召合せ框と内障子ガラスパネル間の防虫装置の一実施例を示し、図１は横断面図、図２は図１の一部拡大図、図３は内障子を最も上方に建て付け調整したときの縦断面図、図４は外障子を最も上方に建て付け調整したときの縦断面図、図５は外障子召合せ框と閉塞材６の関係を示す分解斜視図、図６は閉塞材の斜視図である。
【００１１】
実施例の引違いサッシは、窓枠１に組付けた（建て付けた）内、外障子２，３のそれぞれの戸先框２ａ，３ａと左右の縦枠４，４´との間に公知の枠見込み内収納網戸（例えば、ロール式網戸）５を配し、該網戸５によって障子全開放時又は半（任意）開放時に縦枠４，４´の一方又は双方と戸先框２ａ，３ａの一方又は双方との間に前記枠見込み内収納網戸５を展開させ、防虫効果を図ろうとするもので、本発明は、この引違いサッシの外障子３の召合せ框３ｂと、内障子２のガラスパネル２ｄとの間の間隙ａを前記召合せ框３ｂに組付けた閉塞材６で、サッシ見込み方向に閉塞して前記召合せ框３ｂとガラスパネル２ｄ間の防虫効果を図るものである。
【００１２】
前記閉塞材６は、長手方向に沿う一端側の厚肉にした基部から他端側の先端方向に次第に薄肉にし、前記ガラスパネル２ｄのパネルとしての有効面の縦幅（従って、外障子３の上、下框３ｃ，３ｅ間の離開幅）と略同長の、縦長方形状の主体板６ａの基部６ａ´の片面に、断面矢尻状の突条嵌着部６ｂを突設して成り、突条嵌着部６ｂを、その弾性変形を利用して外障子３の前記召合せ框３ｂに設けた取付け溝７に、その開口部を通して圧入して召合せ框３ｂに組付けたもので、該組付け状態にあって主体板６ａ（閉塞材６）の先端６ａ´´は、障子半開放状態時に内障子２の前記ガラスパネル２ｄの室外側面に接触し、該ガラスパネル２ｄと外障子召合せ框３ｂ間の間隙ａを閉塞する（見込み方向に）ようにしてある。なお、諸条件によっては、閉塞材６の先端６ａ´´と外障子３のガラスパネル２ｄの室外側面との間が、虫の侵入が困難な幅（例えば、網のメッシュ幅と同等の１．５ｍｍ程度）だけ空けていてもよい。
【００１３】
前記取付け溝７は、前記召合せ框３ｂの室内端面側に断面Ｌ形の部片７´を突設して召合せ框３ｂの戸尻端面（外面）側を開口して設けたもので、この取付け溝７の上、下の、開放端側である両端部を残した中間部に、閉塞材６は前記の通り配して組付けられる。
【００１４】
そして、取付け溝７の上開放端部には上調整材８を、下開放端部には下調整材９を、前記内、外の障子２，３を受支する戸車１８の高さ調整によるサッシ建て付け調整を経てそれぞれ止着し、取付け溝７に沿う移動すなわちガタ付きを防いで、閉塞材先端６ａ´´のガラスパネル２ｄとの接触状態が確実に保たれ、前記間隙ａは、サッシ見込み方向において閉塞され、虫の侵入が防止される。
【００１５】
上調整材８は、上側の一半部を大径部１０ａ´、下側の他の一半部を小径部１０ａ´´とした縦長棒杆状の組付け部１０ａの長手方向に沿う一側に、平板状の取付け部１０ｂを設けて構成した本体部材１０（ポリプロピレンで成る）の組付け部１０ａに、内、外障子２，３の上框２ｃ，３ｃ間の間隙ａ´をサッシ見込み方向に閉塞する閉塞片１１（樹脂エラストマーで成る）を、下端同士を一致させて取付けて構成したもので、外障子３の召合せ框３ｂに設けた前記取付け溝７に、その上開放端側から組付け部１０ａの下側の小径部１０ａ´´を嵌挿して召合せ框３ｂに組付け、取付け溝７の開口部を通じて突出して召合せ框３ｂ（外障子３）の戸尻端面に重ね合う、取付け部１０ｂを、該取付け部１０ｂに設けた縦長の調整孔１２に固定ねじ１３を通して召合せ框３ｂに止着するものである。
【００１６】
下調整材９は、障子半開放時に生じる内、外障子２，３の下框２ｅ、３ｅ間の間隙ａ´´をサッシ見込み方向に閉塞する閉塞片１５（樹脂エラストマーより成る）を、本体部材１４に組付けて構成し、本体部材１４は、下側の一半部を大径部１４ａ´、上側の他の一半部を小径部１４ａ´´とした縦長棒杆状の組付け部１４ａの長手方向に沿う一側に、平板状の取付け部１４ｂを設けて成り、この本体部材１４の組付け部１４ａに、前記上調整材８と同様に、閉塞片１５を摺嵌させて、しかも、上端同士を一致させて組付けて下調整材９としたものである。また、外障子３の召合せ框３ｂに設けた前記取付け溝７に、その下開放端側から組付け部１４ａの上側の小径部１４ａ´´を嵌挿して召合せ框３ｂに組付け、取付け溝７の開口部を通じて突出して召合せ框３ｂの戸尻端面に重ねた取付け部１４ｂを、該取付け部１４ｂに設けた縦長の調整孔１６を通して固定ねじ１７で召合せ框３ｂに止着するようにして用いるものである。
【００１７】
そして、外障子３の召合せ框３ｂの取付け溝７の上端側に上調整材８を、下端側に下調整材９をそれぞれ配して調整孔１２，１６を通じた固定ねじ１３，１７で、該召合せ框３ｂに仮止めしておき、内外の各障子２，３を受支する下車１８の高さ調整によってサッシ建て付け調整を行った後、上調整材８の、互いに一致する本体部材１０の下端と閉塞片１１の下端を内障子２の上框２ｃの下端位置（ガラスパネル２ｄのパネルとしての有効面の上端位置）に合わせて、調整孔１２の位置調整された部位で固定ねじ１３を締付けて上調整材８を召合せ框３ｂに固（止）着する一方、下調整材９を、互いに一致する本体部材１４の上端と閉塞片１５の上端を内障子２の下框２ｅの上端位置（ガラスパネル２ｄのパネルとしての有効面の下端位置）に合わせて、この合わせ作業に伴って、調整孔１６の位置調整された部位で固定ねじ１７を締付けて、下調整材９を召合せ框３ｂに固（止）着し、これら上、下の調整材８，９間に、主体板６ａ（閉塞材６）の先端６ａ´´が内障子２の前記ガラスパネル２ｄに接触する前記閉塞材６を介在させ、該閉塞材６の嵌着部６ｂを、その弾性変形を利用して外障子３の前記召合せ框３ｂに設けた取付け溝７に圧入して召合せ框３ｂに組付けることによって、実施例の、引違いサッシの外障子召合せ框と内障子ガラスパネル間の防虫装置を得るのである。
【００１８】
なお、内、外障子２，３の建て付け調整は、調整孔１２，１６内を固定ねじ１３，１７が相対的に移動する範囲内で行われることは勿論である。
【図面の簡単な説明】
【００１９】
【図１】横断面図。
【図２】図１の一部拡大図。
【図３】内障子を最も上方に建て付け調整したときの縦断面図。
【図４】外障子を最も上方に建て付け調整したときの縦断面図。
【図５】外障子召合せ框と閉塞材６の関係を示す分解斜視図。
【図６】閉塞材の斜視図。
【符号の説明】
【００２０】
２          内障子
２ｄ        ガラスパネル
３          外障子
３ｂ        召合せ框
６          閉塞材
６ａ        主体板
６ｂ        嵌着部
７          取付け溝
８          上調整材
９          下調整材
１０ａ      組付け部
１０ｂ      取付け部
１２        調整孔
１４ａ      組付け部
１４ｂ      取付け部
１６        調整孔
【図１】
0005350678.tif 000002
【図２】
0005350678.tif 000003
【図３】
0005350678.tif 000004
【図４】
0005350678.tif 000005
【図５】
0005350678.tif 000006
【図６】
0005350678.tif 000007